(57)【特許請求の範囲】
【請求項１】
キャップ型帽子の周囲を取り囲む線条体と、前記キャップ型帽子の鍔部上に載置され、前記線条体を支持する線条体支持具と、前記線条体支持具と一体に設けられ、前記キャップ型帽子の鍔部に着脱する着脱具と、前記線条体に懸吊する懸吊部を有するカーテンとを備え、
前記線条体支持具は、前記線条体に懸吊されたカーテンと前記キャップ型帽子着用者の肌面との位置関係を調節可能に支持することを特徴とするキャップ型帽子用装着具。
【請求項２】
前記線条体は、前部に設けられる前部用線条体と、両側部及び後部を取り囲み、カーテンを装着するカーテン装着用線条体とからなり、
前部線条体の両端及び、カーテン装着用線条体の両端には、互いに着脱可能で、接続長さ、接続幅、及び接続角度のいずれか１以上を調節可能に接続する接続具が設けられていることを特徴とする請求項１に記載のキャップ型帽子用装着具。
【請求項３】
前記線条体支持具は、前記線条体の前部ほぼ中央を支持する線条体固定用台座と、キャップ型帽子の鍔部の上に載置する際、鍔部にフィットするように形成される鍔部フィット用台座とからなり、
前記鍔部フィット用台座は、前記鍔部に当接する面を鍔部に対する摩擦係数の大きい摩擦部材で形成したことを特徴とする請求項１又は請求項２に記載のキャップ型帽子用装着具。
【請求項４】
前記線条体支持具において、前記線条体固定用台座は、前記鍔部フィット用台座に螺着されていることを特徴とする請求項３記載のキャップ型帽子装着具。
【請求項５】
前記線条体固定用台座と、鍔部フィット用台座とは、両者の螺着点でほぼ直交していることを特徴とする請求項４記載のキャップ型帽子用装着具。  
【請求項６】
前記着脱具は、前記線条体支持具をキャップ型帽子用装着具の鍔部に取り付けられるように前記線条体固定用台座の下面に設けられていることを特徴とする請求項３乃至５のいずれかに記載のキャップ型帽子用装着具。
【請求項７】
前記線条体は強化アルミからなるパイプであることを特徴とする請求項１乃至６のいずれかに記載のキャップ型帽子用装着具。
【請求項８】
カーテンは、カーテン装着用線条体に吊架する１以上のカーテン本体と、カーテン本体の片端に固着され、他端は着脱自在な貼着具を介して開閉可能に、顔前面を少なくとも目の前面をのぞいて覆うように取り付けられる前部カーテンとからなることを特徴とする請求項１乃至７に記載のキャップ型帽子用装着具。
【発明の詳細な説明】
【技術分野】
【０００１】
本発明は、サンバイザーのように日除け用の鍔とベルトだけ又はベルトもない差し込み型サンバイザーや、キャップのように比較的硬い鍔と山部とからなる帽子（以下「キャップ型帽子」と総称する）などに装着して用いるキャップ型帽子用装着具に関する。
【背景技術】
【０００２】
サンババイザーは、以前はゴルフやテニスなどのスポーツ時に用いられてきたが、最近では帽子を着用すると髪が乱れる等の理由で、一般人の間でも、サンバイザーが広く用いられるようになった。特に、ベルトのない差し込み型サンバイザーが女性に好まれている。このサンバイザーは帽子のように頭頂部から、かぶるものではなく髪の毛を押さえて髪型を崩さずに装着できる点で重宝がられている。
最近では、かなり縁のひろいものも用いられるようになっており、日除け効果も大きい。しかしながら、顔の側面と、後頭部、襟足部分に関しては、日除け効果は無い。
キャップも同様である。
そこで、最近では、サンバイザーやキャップに直接日除け布を装着した商品も多くなってきた。
【０００３】
例えば、特許文献１（特開２００６−９７２０９号公報）には、山部を後頭部まで覆わないように後方へ斜め上がりに形成し、鍔部は山部の前方だけに設けたキャップ型の帽子であり、日除けとして、前記後方斜め上がり部の縁に可撓性材料からなる日除けを垂れ下がるように取り付けたものがある。
この発明によると、日除けが可撓性材料で構成されているので、マフラーのように巻きつけることによって、首の前方も含め遮光範囲は広くなる。しかし、首に巻きつけるので日除け布の材質を通気性がよく、肌ざわりの良いものにしても、暑苦しい状態を避けられない。涼冷媒体を入れるポケットまで設けているのもそのためである。
【０００４】
【特許文献１】特開２００６−９７２０９号公報
【発明の開示】
【発明が解決しようとする課題】
【０００５】
本発発明は、上記問題点を解決するものであって、キャップ型帽子を着用する際に日除けの必要に応じて装着でき、肌面との距離を適宜調節することによって、密着による不快感のないキャップ型帽子用装着具を提供することを課題とする。
【課題を解決するための手段及び効果】
【０００６】
上記課題を解決するため、本発明の請求項１の発明は、キャップ型帽子の周囲を取り囲む線条体と、前記キャップ型帽子の鍔部上に載置され、前記線条体を支持する線条体支持具と、前記線条体支持具と一体に設けられ、前記キャップ型帽子の鍔部に着脱する着脱具と、前記線条体に懸吊する懸吊部を有するカーテンとを備え、
前記線条体支持具は、前記線条体に懸吊されたカーテンと前記キャップ型帽子着用者の肌面との位置関係を調節可能に支持することを特徴とするキャップ型帽子用装着具である。
この発明によると、線条体支持具によって、線条体に懸吊されたカーテンとキャップ型帽子着用者の肌面との位置関係を調節可能に支持するので、カーテンが肌面に密着しないように調節すれば、不快感は除去され、カーテンによって快適に日除けができる。
【０００７】
請求項２の発明は、前記線条体が、前部に設けられる前部用線条体と、両側部及び後部を取り囲み、カーテンを装着するカーテン装着用線条体とからなり、
前部線条体の両端及び、カーテン装着用線条体の両端には、互いに着脱可能で、接続長さ、接続幅及び接続角度のいずれか１以上を調節可能に設けられていることを特徴とする。
この発明によると、カーテン装着用線条体を前部線条体から外してカーテンを着脱すればよいので、カーテンの着脱が簡単である。また、カーテン装着用線条体を前部線条体に取りつける際、又は取り付けた後、接続具で接続幅、接続長さ及び接続角度を調節することにより、カーテンと帽子着用者の肌面との位置関係が調節可能となる。
【０００８】
請求項３の発明は、前記線条体支持具が、前記線条体の前部ほぼ中央付近を支持する線条体固定用台座とキャップ型帽子の鍔部の上に載置する際、鍔部にフィットするよう形成される鍔部フィット用台座とからなり、前記鍔部フィット用台座は前記鍔部に当接する面を鍔部に対する摩擦係数の大きい摩擦部材で形成したことを特徴とする。
この発明によると、鍔部フィット用台座の鍔部に当接する面を鍔部に対する摩擦係数の大きい摩擦部材で形成したので、線条体支持具がキャップ型帽子用装着具の鍔部上に安定して載置される。
【０００９】
請求項４の発明は、前記線条体支持具において、線条体固定用台座が、鍔部フィット用台座に螺着されることを特徴とする。
この発明によると、線条体固定用台座が、鍔部上に安定して載置された鍔部フィット用台座に取り付けられるので、線条体を安定して固定することができる。
【００１０】
請求項５の発明は、前記線条体固定用台座と、鍔部フィット用台座とが、両者の螺着点でほぼ直交していることを特徴とする。
この発明によると、線条体固定用台座にほぼ直交するように支持された線条体の前部は、鍔部フィット用台座の上に平行に伸びるので、鍔部フィット用台座の上に支持され、キャップの鍔を痛める恐れがない。
【００１１】
請求項６の発明は、前記着脱具が、前記線条体支持具をキャップ型帽子用装着具の鍔部に取り付けられるように前記線条体固定用台座の下面に設けられていることを特徴とする。
この発明によると、線条体支持具をキャップ型帽子用装着具の鍔にワンタッチで取り付けることができる。
【００１２】
請求項７の発明は、前記線条体が強化アルミからなるパイプであることを特徴とする。
この発明によると、線条体が軽くて丈夫で美観もある。
【００１３】
請求項８の発明は、カーテンが、カーテン装着用線条体に吊架する１以上のカーテン本体と、カーテン本体の片端に固着され、他端は着脱自在な貼着具を介して開閉可能に、顔前面を少なくとも目の前面をのぞいて覆うように取り付けられる前部カーテンとからなることを特徴とする。
この発明によると、キャップ型帽子用装着具着用者の顔側面及び後部はカーテン本体により、顔前面は視界を遮ることなく、前部カーテンにより日除けすることができる。
【発明を実施するための最良の形態】
【００１４】
次に、本発明の実施の形態を図面に基づいて説明する。
図１は、キャップCにキャップ型帽子用装着具１を装着した状態の概略説明図、図２は、線条体２と線条体支持具６との接続関係を示す説明図、図３は、図２の線条体を用いたキャップ型帽子用装着具をキャップＣに取り付けた状態の平面図、図４は、その斜視図、図５は、前部線条体と線条体支持具の関係を示す概略説明図、図６は、線条体支持具６による線条体の支持のしくみを説明する分解斜視図、図７は線条体支持具６のキャップの鍔への取り付け方を側面から示す説明図である。
【００１５】
キャップ型帽子用装着具１は、線条体２と線条体固定用台座４と鍔部フィット用台座５とカーテン本体８と前部カーテン９からなる。
図１において、図１ａは、キャップ型帽子用装着具１の前部カーテン９をカーテン本体８の右側面に面ファスナーｆを介して貼着した状態の概略説明図、図１ｂは、キャップ型帽子用装着具１の前部カーテン９を縫い目１０で折りかえし、カーテン本体左側の面ファスナーｆに貼着し、着用者の顔の前面を覆うようにした状態の概略説明図である。
【００１６】
線条体２は、前部線条体２ａとカーテンを装着するカーテン装着用線条体２ｂとからなり、両者は接続具３で接続されている。前部線条体２ａは、線条体支持具６によって支持され、線条体支持具６は、線条体固定用台座４と鍔無フィット用台座５とで構成されている。線条体２の前部線条体２ａは、線条体固定用台座４に支持され、線条体固定用台座４は鍔部フィット用台座５と一体化され、キャップＣの鍔部Ｃ１の上に載置される。カーテン装着用線条体２ｂに装着されたカーテン本体８は、支持具の構成によって、キャップ型帽子着用者の肌面と位置関係を調節することができる。
【００１７】
以下、図２乃至図６に基づいて詳細に説明する。
図２は、線条体２と、線条体支持具６との接続関係を示す平面図であり、図３は、図２の線条体を用いたキャップ型帽子用装着具をキャップＣに取り付けた状態の平面図である。
図１では、カーテン装着用線条体２ｂは、滑らかな円弧状のものとしたが、以下の実施形態では、図２及び図３のように、両端部付近をＳ字状の曲折のあるもの２ｂ１、続いて直線状２ｂ２、コーナーを角ばった形状２ｂ３とし、最後部を滑らかな円弧状２ｂ４とする。
このようにすると、Ｓ字状部２b１やコーナー部２ｂ２でカーテンの懸吊部が動くのをとめ安定した位置にとどめることができるので好ましい。
【００１８】
線条体２bの両端には、例えば接続具３bを取り付けておく。接続具３ｂから線条体２ｂへとカーテン本体８に取り付けた懸吊具（図示せず）を通して反対側の端まで装着する。
図２及び図３において、前部線条体２ａの両端にはＬ字型金具３bを取り付けておく。先にカーテン装着用線条体２bの先端に取り付けた接続具（例えば雄ねじ）３ｂとＬ字型金具３ａの雄ねじ部２ａ1とを６角ねじ（雌ねじ）３ｃを用いて接続する。この６角ねじ３ｃによる締め加減によって、線条体２の接続長さｓｎを調節することができる。また、あとで詳述するように、接続幅ｓｈも調節することができる。したがって、図３に明らかなように、キャップ型帽子用装着具を取りつけたキャップ着用者の肌面と線条体２bに取り付けたカーテンとの間に適宜の空間を設け、カーテンが肌に密着しないようにし、風とおしもよくすることができる。
図４は、これを右側面からみた、図であり、図４（ａ）は前部カーテンを開いた図、図４（ｂ）は前部カーテンを閉じた図である。
【００１９】
さらに、図５及び図６に基づいて、線条体支持具６について詳述する。
図５（ａ）のＬ字型金具３ａを斜視図で示すと、図５（ｂ）のとおりである。このねじの孔ｓに前部線条体２ａを挿入し、ボルトｂ１を孔ｈ１にねじ込んで固定する。その際、ねじの孔ｓは奥深いので前部線条体２ａを挿入する深さを調節することにより、接続幅ｓｈを調節することができる。また、前部線条体２ａに取り付けるＬ字型金具の接続角度ｓｋを調節することにより、カーテン装着用線条体２ｂの傾きをも調節することができる。
【００２０】
カーテン装着後も６角ねじ３ｃの締め加減の調節により、接続長さｓｎを調節することができる。
また、ボルトb１を緩めて前部線条体２ａのＬ字型金具の孔sへの挿入深さを調節することにより、接続幅ｓｈを調節でき、また、前部線条体２ａに取り付けたＬ字型金具の接続角度ｓｋを変えることによりカーテン装着用線条体２ｂの傾きを変えるができる。
このように、接続長さｓｎ、接続幅ｓｈ、接続角度ｓｋを調節することにより、カーテン装着用線条体２bに装着されたカーテン８と帽子着用者の肌面との位置関係を調節できる。
【００２１】
次に、このカーテンを装着した線条体２を、線条体支持具６に取り付ける方法を説明する。
図６において、線条体支持具６は、線条体固定用台座４と、鍔部フィット用台座５とからなる。
線条体固定用台座４は、例えば細長い板状のプラスチックパネルからなる。
鍔部フィット用台座５は、プラスチックパネル５ａと左右の鍔部の形状にフィットするように成形した台座５ｂを張り合わせてなり、下面にはゴムシート５cが貼り付けられている。
パネル５ａと台座5bは一体に成形してもよい。また、線条体固定用台座４、鍔部フィット用台座５のプラスチックパネル５ａは金属板で構成してもよい。
【００２２】
図６に示すように、パネル5ａにはカバー５ｃを嵌め込む受け台５ｅを成形しておく。
線条体固定用台座４の裏面には、着脱具７が取り付けられる。着脱具７は、上面つまみ7ａと下面つまみ７bとばね７cからなるクリップであり、台座４に取り付けるため、上面つまみ７ａが下面つまみ７bより長くなっており、線条体固定台座４及び鍔部フィット用台座５の受け台５ｃに設けられたねじ孔ｈ３とボルトｂ３によって上面つまみ７ａが取り付けられる。
【００２３】
また、カバー５ｃ、前部線条体２ａ、鍔部フィット用台座５のカバー受け台５ｅ、線条体固定用台座４にはそれぞれボルトｂ２をとおす孔ｈ２が設けられ、それらを貫通してボルトｂ２とナットｎとをを結合することにより、線条体２は、線条体固定用台座４及び鍔部フィット用台座５と一体化される。
【００２４】
このように、カーテン８を装着した線条体２を線条体支持具６に取り付けたうえで、線条体支持具６の下面にとりつけられた着脱具７によってキャップ型帽子Ｃに取り付けると、図４のようになる。
図４は、右側面側から見た説明図であり、キャップ型帽子用装着具の鍔C2に着脱具７によって取り付けられている。着脱具は前述のとおり、上面つまみ７ａが長く、下面つまみ７bが短い。両者はばね７ｃによって付勢され、鍔Ｃ２を把持している。
鍔部フィット用台座図５の下面に取り付けかられたゴムシート５ｄによって鍔Ｃ２上にしっかりと固定される。
【００２５】
図４（ａ）は、前部カーテン９を開いた図であり、図４（ｂ）は、閉じた図である。前部カーテン９はカーテン本体８の右側側面に縫い目１０で縫い付けられており、これを使用しない場合は、面ファスナーｆで右側面に貼着されている。前部からの日除けのため、これを使用する場合は、カーテン本体８の左端の方へ折り返して図示しない左端側に設けた面ファスナーに貼着する。これによって、前面からの日光なども遮光される。
【００２６】
図７は、線条体支持具６のキャップへの取り付け方を側面から示す説明図である。簡単のため、カーテン及び線条体の後半の部分の図示は省略する。
図７（ａ）はキャップＣの鍔Ｃ２に取り付けた状態、図６（ｂ）は、サンバイザーＳの鍔Ｓ２に取り付けた状態を示す。キャップＣは山部Ｃ１と鍔部Ｃ２とからなり、サンバイザーＳは差込み部Ｓ１と鍔部Ｓ２とからなる。水平面に対する鍔部の角度は、キャップの鍔部Ｃ２では約１５度〜２０度であるが、サンバイザーの鍔部Ｓ２では約３５度〜４０度と、かなり深くなる。キャップ型帽子用装着具１はどのタイプのものにも適用できる。
【００２７】
キャップ型帽子用装着具１は、６角ねじ３ｃの締め加減の調節により、接続長さｓｎを調節することができ、また、ボルトb１を緩めて前部線条体２ａのＬ字型金具の孔sへの挿入深さを調節することにより、接続幅ｓｈを調節でき、さらに、前部線条体２ａに取り付けたＬ字型金具の接続角度ｓｋを変えることによりカーテン装着用線条体２ｂの傾きを変えるができる。
したがって、装着すべき帽子の大きさや唾の角度がかわっても、それに応じて、接続長さｓｎ、接続幅ｓｈ、接続角度ｓｋを調節することにより、線条体２に装着されたカーテン８と帽子着用者の肌面との位置関係を調節でき、カーテンが肌に密着することがなく、快適に日除けできる。  
【００２８】
以上の実施形態の説明では、線条体を前部線条体２ａとカーテン装着用線条体２bに分けた例とし両者を接続具３で接続し、接続具３のうち前部線条体２ａの両端に取り付ける接続具３ａや接続具３bによって線条体２の接続幅、、接続長さ、カーテン装着用線条体２bの傾きを変え、カーテン８とキャップ型帽子用装着具着用者の肌面との位置関係を調節できるようにしたが、キャップ型帽子の周囲を取り囲む一連のものと場合も本発明に含まれる。その場合、両端を掴持する部分の幅や掴持する角度を変えることによって、キャップ型帽子用装着具着用者の肌面とカーテンの位置関係を調節するようにすればよい。
【００２９】
また、前部線条体２ａとカーテン装着用線条体２bの接続具もL字型金具に限定されるものではなく互いに着脱可能で、接続長さ,ｓｎ、接続幅ｓｈ、接続角度ｓｋのいずれかを変えることができる機構を持つものであればよい。
また、鍔部フィット用台座の鍔部に当接する面をゴムシートを貼着するものとしたが、貼着しなくても当接面の摩擦係数の大きいものであればよい。また鍔部フィット用台座の材質はプラスチックに限定されるものではなく、鍔上に安定して載置できるものであればよい。
【００３０】
線条体２は、強化アルミからなるパイプとしたが、要は、軽くて丈夫であればよい。
カーテン本体はは１枚ものとしたが、２枚の単位カーテンに分けることもできる。前部カーテンは不要であれば縫い付けなくてもよい。
【図面の簡単な説明】
【００３１】
【図１ａ】キャップに本発明キャップ型帽子用装着具を装着した状態（前部カーテンを開けた状態）の概略説明図である。
【図１ｂ】キャップに本発明キャップ型帽子用装着具を装着した状態（前部カーテンを閉じた状態）の概略説明図である。
【図２】線条体と線条体支持具との接続関係を示す説明図である。
【図３】図２の線条体と線条体支持具からなるキャップ型帽子用装着具をキャップに取り付けた状態の平面図である。
【図４】図２の線条体と線条体を用いたキャップ型帽子用装着具をキャップに取り付けた状態の斜視図である。
【図５】前部線条体と線条体支持具の関係を示す概略説明図である。
【図６】線条体支持具による線条体の支持のしくみを説明する分解斜視図である。
【図７】線条体支持具のキャップの鍔への取り付け方を側面から示す説明図である。
【符号の説明】
【００３２】
１  キャップ型帽子用装着具
２  線条体
３  接続具
４  線条体固定用台座
５  鍔部フィット用台座
６  線条体支持具
７  着脱具
８  カーテン（カーテン本体）
９  前部カーテン
Ｃ  キャップ
Ｓ  サンバイザー
【図１ａ】
0004565516.tif 000002
【図１ｂ】
0004565516.tif 000003
【図２】
0004565516.tif 000004
【図３】
0004565516.tif 000005
【図４】
0004565516.tif 000006
【図５】
0004565516.tif 000007
【図６】
0004565516.tif 000008
【図７】
0004565516.tif 000009